(57)【要約】【課題】清掃する壁面の傷付きを極力抑え、なおかつ作業者の多大な労力を要することなく清掃することができる手段の提供を課題とする。【解決手段】高圧水の元となる水を蓄える給水タンク１１５と、該給水タンク１１５からの水を高圧化する高圧水ポンプ１１６と、該高圧水ポンプ１１６から送水されてきた前記高圧水を壁面に対して噴射する高圧水噴射ノズル１２２と、該ノズル１２２を昇降させる昇降機構１２６とを有する清掃装置１０３を備え、前記壁面に沿った水平方向に複数配置されたノズル１２２を、車両１０１の停止状態で、前記昇降機構１２６により昇降させることで前記壁面を上下方向に清掃を行うようにした。【選択図】図３
2009235901.tif 000002
【特許請求の範囲】
【請求項１】
高圧水の噴射により壁面を清掃する清掃装置を装備した車両であり、
前記清掃装置には、前記高圧水の元となる水を蓄える給水タンクと、該給水タンクからの水を高圧化する高圧水ポンプと、該高圧水ポンプから送水されてきた前記高圧水を前記壁面に対して噴射するノズルと、該ノズルを昇降させる昇降機構とが備えられ、
前記ノズルは、前記壁面に沿った水平方向に複数配置され、
これらノズルを、前記車両の停止状態で、前記昇降機構により昇降させることで前記壁面を上下方向に清掃を行うことを特徴とする壁面清掃車。
【請求項２】
前記清掃装置には、前記高圧水を噴射する前の前記壁面に対して洗剤を噴射する洗剤噴射機構がさらに備えられていることを特徴とする請求項１に記載の壁面清掃車。
【請求項３】
前記清掃装置には、前記高圧水の噴射により洗浄した後の前記壁面を拭う拭き取り機構が、さらに備えられていることを特徴とする請求項１または２に記載の壁面清掃車。
【請求項４】
前記清掃装置には、前記壁面への前記高圧水の吹き付けにより生じる霧を吸収抑制する低圧水噴射機構がさらに備えられていることを特徴とする請求項１〜３の何れか一項に記載の壁面清掃車。
【請求項５】
前記清掃装置には、前記ノズルに至るまでに前記高圧水を昇温させるヒータが備えられていることを特徴とする請求項１〜４の何れか一項に記載の壁面清掃車。
【請求項６】
前記ノズルには、前記壁面に噴射する前記高圧水の噴流を旋回させる回転子が内蔵されていることを特徴とする請求項１〜５の何れか一項に記載の壁面清掃車。
【発明の詳細な説明】
【技術分野】
【０００１】
本発明は、例えば自動車道路の路肩部に設置された遮音壁の壁面清掃や、建物壁面の清掃などに用いる壁面清掃車に関するものである。
【背景技術】
【０００２】
高速道路などの路肩部には、自動車の走行によって発生する騒音を低減させる遮音壁が設置されている。この遮音壁は、自動車の排気ガスや砂塵によって汚染されるため、随時、清掃を行う必要がある。この清掃作業としては、一般的に、作業者の人力や高圧洗浄装置によって行われている。すなわち、道路の路肩に高所作業車や水タンクローリー車等の各種作業車両を停止させ、作業者が汚染された遮音壁に対して高圧水を噴射し、さらには清掃具を用いてブラシがけすることなどで清掃を行っていた。
【発明の概要】
【発明が解決しようとする課題】
【０００３】
この場合、壁面の汚れを十分に落とすためには入念なブラシがけを行う必要があるが、作業者にとっては、これが大変な労力を要するものとなっていた。また、ブラシがけを行う関係上、壁面に微細な傷をつけやすく、例えば透光性遮音壁においては、その傷付きによって透明度が悪化するという問題も同時に招来していた。
【０００４】
本発明は、上記事情を鑑みてなされたものであり、清掃する壁面の傷付きを極力抑え、なおかつ作業者の多大な労力を要することなく清掃することができる手段の提供を目的とする。
【課題を解決するための手段】
【０００５】
本発明は、上記課題を解決するために以下の手段を採用した。
すなわち、請求項１に記載の壁面清掃車は、高圧水の噴射により壁面を清掃する清掃装置を装備した車両であり、前記清掃装置には、前記高圧水の元となる水を蓄える給水タンクと、該給水タンクからの水を高圧化する高圧水ポンプと、該高圧水ポンプから送水されてきた前記高圧水を前記壁面に対して噴射するノズルと、該ノズルを昇降させる昇降機構とが備えられ、前記ノズルは、前記壁面に沿った水平方向に複数配置され、これらノズルを、前記車両の停止状態で、前記昇降機構により昇降させることで前記壁面を上下方向に清掃を行う。
上記請求項１記載の壁面清掃車によれば、給水タンク内の水を、高圧水ポンプにより昇圧してノズルより壁面に向かって噴射することで、その水圧によって非接触で壁面上の汚れを落とすことができる。さらには、昇降機構によりノズルを上下動させることで、壁面の低所から高所にかけての広い範囲に渡って清掃することができる。
また、車両が停止した状態で各ノズルを噴射しつつ昇降機構により昇降動作させること、及び、車両を別の位置に移動、停止させ、その位置で同様の動作を行うことを継続的に行うことにより、壁面の水平方向及び上下方向の広範囲に渡り清掃を行うことができる。
【０００６】
請求項２に記載の壁面清掃車は、請求項１に記載の壁面清掃車において、前記清掃装置には、前記高圧水を噴射する前の前記壁面に対して洗剤を噴射する洗剤噴射機構がさらに備えられているとさらに好適である。
上記請求項２記載の壁面清掃車によれば、予め、洗剤噴射機構から洗剤を壁面に対して吹き付けた後、ノズルからの高圧水吹き付けを行うことで、壁面の汚れをより効果的に落とすことができるようになる。
【０００７】
請求項３記載の壁面清掃車は、請求項１または２に記載の壁面清掃車において、前記清掃装置には、前記高圧水の噴射により洗浄した後の前記壁面を拭う拭き取り機構が、さらに備えられていることを特徴とする。
上記請求項３記載の壁面清掃車によれば、洗浄後の壁面を拭き取り装置で拭き取ることにより、壁面の濡れや残留した汚れを確実かつ短時間で落とすことができるようになる。
【０００８】
請求項４記載の壁面清掃車は、請求項１〜３の何れか一項に記載の壁面清掃車において、前記清掃装置には、前記壁面への前記高圧水の吹き付けにより生じる霧を吸収抑制する低圧水噴射機構がさらに備えられていることを特徴とする。
上記請求項４記載の壁面清掃車によれば、霧を低圧水で覆うことにより、霧が清掃作業場所外に広がるのを防止することができる。
【０００９】
請求項５記載の壁面清掃車は、請求項１〜４の何れか一項に記載の壁面清掃車において、前記清掃装置には、前記ノズルに至るまでに前記高圧水を昇温させるヒータが備えられていることを特徴とする。
上記請求項５記載の壁面清掃車によれば、高圧水が冷水である場合に比較して、より効果的に壁面の汚れを落とすことができるようになる。
【００１０】
請求項６記載の壁面清掃車は、請求項１〜５の何れか一項に記載の壁面清掃車において、前記ノズルには、前記壁面に噴射する前記高圧水の噴流を旋回させる回転子が内蔵されていることを特徴とする。
上記請求項６記載の壁面清掃車によれば、回転子の回転によって高圧水が拡散噴射され、壁面の広範囲に渡って吹き付けられる。これにより、同一流量の高圧水であっても、壁面の広範囲をカバーすることができるようになる。
【発明の効果】
【００１１】
本発明の請求項１記載の壁面清掃車は、高圧水ポンプを介して給水タンクより送られてきた高圧水を壁面に対して噴射するノズルと、このノズルを昇降させる昇降機構とを有する清掃装置を備えた構成を採用した。この構成によれば、非接触で壁面を清掃することができるので、清掃する壁面の傷付きを極力抑えることが可能となる。しかも、高圧水の水圧によって壁面の汚れを落とすので、従来のように壁面をブラシがけする必要がなく、作業者の多大な労力を要することなく清掃することも可能となる。
また、壁面に沿った水平方向にノズルを複数配置し、これらノズルを、車両が停止した状態において、昇降機構により昇降させることで壁面を上下方向に清掃を行う構成を採用した。この構成によれば、壁面の水平方向及び上下方向の広範囲に渡る清掃を、各ノズルの昇降動作により短時間で行うことが可能となる。
【００１２】
また、請求項２記載の壁面清掃車は、清掃装置に、高圧水を噴射する前の壁面に対して洗剤を噴射する洗剤噴射機構をさらに備えた構成を採用した。この構成によれば、壁面への洗剤の吹き付けにより、より効果的に壁面の洗浄を行うことが可能となる。
また、請求項３記載の壁面清掃車は、清掃装置に、高圧水の噴射により洗浄した後の壁面を拭う拭き取り機構を、さらに備えた構成を採用した。この構成によれば、拭き取り機構により、壁面の濡れや残留した汚れを確実かつ短時間で落とすことが可能となる。
また、請求項４記載の壁面清掃車は、清掃装置に、壁面への高圧水の吹き付けにより生じる霧を吸収抑制する低圧水噴射機構を備えた構成を採用した。この構成によれば、低圧水で覆うことによって霧が清掃作業場所外に広がるのを防止できるので、清掃作業が他所に及ぼす影響を極力低減させることが可能となる。
【００１３】
また、請求項５記載の壁面清掃車は、清掃装置に、ノズルに至るまでに高圧水を昇温させるヒータを備えた構成を採用した。この構成によれば、壁面に吹き付けられる高圧水が温水となるので、冷水である場合に比較して、より効果的に壁面の汚れを落とすことが可能となる。
また、請求項６記載の壁面清掃車は、ノズルに、壁面に噴射する高圧水の噴流を旋回させ、高圧水が及ぶ範囲を拡散させる回転子が備えられている構成を採用した。この構成によれば、回転子の回転によって高圧水が拡散し、壁面の広範囲に渡って吹き付けることができるようになるので、少ない量の高圧水で広い範囲の清掃を行うことが可能となる。
【図面の簡単な説明】
【００１４】
【図１】本発明の壁面清掃車の第１参考実施形態を示す斜視図である。
【図２】同壁面清掃車による清掃作業実施状態を示す図であって、壁面に垂直な断面より見た側面図である。
【図３】本発明の壁面清掃車の一実施形態を示す斜視図である。
【図４】同壁面清掃車による清掃作業実施状態を示す図であって、壁面に垂直な断面より見た側面図である。
【図５】本発明の壁面清掃車の第２参考実施形態を示す斜視図である。
【図６】同壁面清掃車による清掃作業実施状態を示す図であって、壁面に垂直な断面より見た平面図である。
【発明を実施するための形態】
【００１５】
本発明の壁面清掃車は、高圧水の噴射により壁面を清掃する清掃装置を装備した車両であり、その各実施の形態を図面を参照しながら以下に説明するが、本発明がこれらのみに限定解釈されるものでないことはもちろんである。
まず、図１及び図２を参照しながら、本発明の第１参考実施形態について以下に説明する。なお、図１は、本実施の形態の壁面清掃車を示す斜視図である。また、図２は、同壁面清掃車による清掃作業実施状態を示す図であって、壁面に垂直な断面より見た側面図である。
【００１６】
図１に示すように、本実施の形態の壁面清掃車は、親機車両１と、該親機車両１から降ろして自走させることができる子機車両２と、これら親機車両１及び子機車両２上に搭載された清掃装置３とを備えた概略構成となっている。
そして、この清掃装置３には、清掃する壁面（図示せず）に向けて洗剤を噴射供給する洗剤噴射機構４と、前記壁面に向けて高圧水を吹き付けてその水圧により汚れを落とす高圧水噴射機構５と、これら洗剤噴射機構４及び高圧水噴射機構５への電力を供給する発電機６とが備えられている。
【００１７】
前記洗剤噴射機構４は、洗剤を貯留する容器である洗剤タンク７と、該洗剤タンク７からの洗剤を圧送する洗剤供給ポンプ８と、該洗剤供給ポンプ８で圧送されてきた洗剤を噴射する洗剤マニホールド９と洗剤噴射ノズル１４とを備えて構成されている。洗剤供給ポンプ８と洗剤マニホールド９との間は、洗剤用フレキホース１０，１１により配管接続されており、それぞれがホースリール１２，１３に巻き取り可能となっている。フレキホース１０は、スイベルジョイント（図示せず）によりホースリール１３に接続され、ホースリール１３内部では、スイベルジョイントよりフレキホース１１へ接続されている。
この洗剤噴射機構４によれば、洗剤供給ポンプ８を起動させると、洗剤タンク７内の洗剤が導出され、洗剤用フレキホース１０，１１を介して洗剤マニホールド９へと送り出される。そして、洗剤マニホールド９に設けられた複数の洗剤噴射ノズル１４から噴射される洗剤が、高圧水を噴射する前の前記壁面に対して塗布されるようになっている。
【００１８】
前記高圧水噴射機構５は、高圧水の元となる水を貯留する容器である給水タンク１５と、該給水タンク１５からの水を圧送する高圧水供給ポンプ１６と、該高圧水供給ポンプ１６で圧送されてきた高圧水を噴射する高圧水マニホールド１７と高圧水噴射ノズル２２とを備えて構成されている。高圧水供給ポンプ１６と高圧水マニホールド１７との間は、高圧水用フレキホース１８，１９により配管接続されており、それぞれがホースリール２０，２１に巻き取り可能となっている。フレキホース１８は、スイベルジョイント（図示せず）によりホースリール２１に接続され、ホースリール２１内部では、スイベルジョイントよりフレキホース１９へ接続されている。
【００１９】
この高圧水供給機構５によれば、高圧水供給ポンプ１６を起動させると、給水タンク１５内の水が導き出されて高圧化され、高圧水用フレキホース１８，１９を介して高圧水マニホールド１７へと送り出される。そして、高圧水マニホールド１７に設けられた複数の高圧水噴射ノズル２２から噴射される高圧水が、前記壁面上の洗剤及び汚れに対して吹き付けられ、この水圧によって洗剤及び汚れが前記壁面から洗い落とされるようになっている。なお、各高圧水噴射ノズル２２には、前記壁面に噴射する高圧水の噴流を旋回させ、高圧水全体を円錐形状に拡散させる回転子（図示せず）が内部装備されている。また、これら高圧水噴射ノズル２２に至るまでに高圧水を昇温させるヒータが、給水タンク１５に装備されている。
【００２０】
前記発電機６は、洗剤供給ポンプ８や高圧水供給ポンプ１６等の各電動機器に対して電力を供給するものであるが、この発電機６以外に、親機車両１のＰＴＯ（Power Take Off）からポンプ駆動トルクを得るように構成しても良い。
前記子機車両２は、搭載した充電式バッテリ（図示せず）と電動モータ２３と操舵機構２４とにより自走可能な小型車両であり、前記高圧水マニホールド１７及び洗剤マニホールド９が固設された子機車両操縦室２５と、該子機車両操縦室２５を昇降させる（すなわち、各高圧水噴射ノズル２２及び各洗剤噴射ノズル１４を昇降させる）昇降機構２６とを備えて構成されている。
【００２１】
昇降機構２６としては、図１に示すパンタグラフと油圧シリンダとの組み合わせによるパンタグラフ式の他、油圧シリンダ機構内に他の油圧シリンダ機構を装備して多段状に伸展可能としたテレスコープシリンダ式など、その他のタイプの昇降機構を採用しても良い。また、この昇降機構２６の駆動源となる油圧ポンプ（図示せず）は、子機車両２側に搭載しても良いし、もしくは、親機車両１側に搭載し、子機車両へ油圧フレキホースにて接続するものとしても良い。
また、図示を省略するが、前記壁面への高圧水の吹き付けにより生じる霧を、その周囲を覆うように低圧水を噴射することで吸収抑制する低圧水噴射機構や、高圧水の噴射により洗浄した後の前記壁面を拭う拭き取り機構など、その他の機構をさらに子機車両に追加搭載するものとしても良い。
また、子機車両操縦室２５内に作業者を乗せて清掃作業を実施させる他、地上側に作業者を配置して無線操作により、子機車両２及び清掃装置３の運転操作を行うものとしても良い。
【００２２】
以上説明の構成を有する本実施の形態の壁面清掃車による清掃作業の実施について、以下に説明を行う。
まず、清掃場所に停止させた親機車両１から子機車両２を降ろした後、子機車両２の子機車両操縦室２５に作業者を乗せる。そして、親機車両１が駐車した状態のまま、子機車両１が清掃する壁面へと接近するように操縦して走行させる。
そして、前記作業者の操作により子機車両操縦室２５を昇降機構２６で所定の高さまで上昇させ、図２に示すように、各高圧水噴射ノズル２２及び各洗剤噴射ノズル１４を壁面Ｗに対して対向させる。この状態で、親機車両側の作業者の操作により、親機車両１側に搭載されている洗剤供給ポンプ８と高圧水供給ポンプ１６を起動させる。すると、各洗剤噴射ノズル１４から洗剤ＣＬが噴射され、子機車両側作業者による昇降動作により、壁面Ｗに満遍なく塗布されていく。続いて、各高圧水噴射ノズル２２から噴射される高圧水ＨＷが子機車両側作業者による昇降動作により、壁面Ｗに付着した汚れを洗剤ＣＬと共に洗い流していく。このような清掃作業を、昇降機構２６による子機車両操縦室２５の昇降動作と、子機車両２の壁面Ｗに沿った水平方向への走行動作と組み合わせて実施することで、壁面Ｗの広い範囲に渡って清掃が行われる。
【００２３】
以上説明の構成を有する本実施の形態の壁面清掃車は、高圧水供給ポンプ１６を介して給水タンク１５より送られてきた高圧水ＨＷを壁面Ｗに対して噴射する高圧水噴射ノズル２２と、この高圧水噴射ノズル２２を昇降させる昇降機構２６とを有する清掃装置３を備えた構成を採用した。この構成によれば、非接触で壁面Ｗを清掃することができるので、清掃する壁面Ｗの傷付きを極力抑えることが可能となる。しかも、高圧水ＨＷの水圧によって壁面Ｗの汚れを落とすので、従来のように壁面Ｗをブラシがけする必要がなく、作業者の多大な労力を要することなく清掃することも可能となる。
【００２４】
また、本実施の形態の壁面清掃車は、清掃装置３のうち、各洗剤噴射ノズル１４及び各高圧水噴射ノズル２２と昇降機構２６とを、親機車両１とは別に自走可能な子機車両２側に搭載した構成を採用した。この構成によれば、大きな親機車両１では接近できないような狭い場所であっても、小型の子機車両２のみを壁面Ｗに接近させることができるので、各洗剤噴射ノズル１４及び各高圧水噴射ノズル２２を壁面Ｗに対して十分に接近させて清掃することができる。したがって、清掃する壁面Ｗの位置や形状に応じて柔軟に対応することができるので、清掃可能範囲を極めて広くとることが可能となる。
【００２５】
また、本実施の形態の壁面清掃車は、その清掃装置３に、高圧水ＨＷを噴射する前の壁面Ｗに対して洗剤ＣＬを噴射する洗剤噴射機構４を備えた構成を採用している。この構成によれば、壁面Ｗへの洗剤ＣＬの吹き付けにより、より効果的に壁面Ｗの洗浄を行うことが可能となっている。
また、本実施の形態の壁面清掃車は、その清掃装置３に、高圧水噴射ノズル２２に至るまでに高圧水ＨＷを昇温させる前記ヒータを備えた構成を採用した。この構成によれば、壁面Ｗに吹き付けられる高圧水ＨＷが温水となるので、冷水である場合に比較して、より効果的に壁面Ｗの汚れを落とすことが可能となる。
また、本実施の形態の壁面清掃車は、各高圧水噴射ノズル２２に、壁面Ｗに噴射する高圧水ＨＷの噴流を旋回させ、高圧水が及ぶ範囲を拡散させる前記回転子が備えられている構成を採用した。この構成によれば、回転子の回転によって高圧水ＨＷが拡散し、壁面Ｗの広範囲に渡って吹き付けることができるようになるので、少ない量の高圧水ＨＷで広い範囲の清掃を行うことが可能となっている。
【００２６】
次に、図３及び図４を参照しながら、本発明の一実施形態について以下に説明する。なお、図３は、本実施の形態の壁面清掃車を示す斜視図である。また、図４は、同壁面清掃車による清掃作業実施状態を示す図であって、壁面に垂直な断面より見た側面図である。
【００２７】
図３に示すように、本実施の形態の壁面清掃車は、車両１０１と、該車両１０１上に搭載した清掃装置１０３とを備えた概略構成となっている。
そして、この清掃装置１０３には、清掃する壁面（図示せず）に向けて洗剤を噴射供給する洗剤噴射機構１０４と、前記壁面に向けて高圧水を吹き付けてその水圧により汚れを落とす高圧水噴射機構１０５と、これら洗剤噴射機構１０４及び高圧水噴射機構１０５への電力を供給する発電機１０６とが備えられている。
【００２８】
前記洗剤噴射機構１０４は、洗剤を貯留する容器である洗剤タンク１０７と、該洗剤タンク１０７からの洗剤を圧送する洗剤供給ポンプ１０８と、該洗剤供給ポンプ１０８で圧送されてきた洗剤を噴射する洗剤マニホールド１０９と洗剤噴射ノズル１１４とを備えて構成されている。洗剤供給ポンプ１０８と洗剤マニホールド１０９との間は、洗剤用フレキホース１１０により配管接続されており、この洗剤用フレキホース１１０は、ホースリール１１２に巻き取り可能となっている。
この洗剤噴射機構１０４によれば、洗剤供給ポンプ１０８を起動させると、洗剤タンク１０７内の洗剤が導出され、洗剤用フレキホース１１０を介して洗剤マニホールド１０９へと送り出される。そして、洗剤マニホールド１０９に設けられた複数の洗剤噴射ノズル１１４から噴射される洗剤が、高圧水を噴射する前の前記壁面に対して塗布されるようになっている。
【００２９】
前記高圧水噴射機構１０５は、高圧水の元となる水を貯留する容器である給水タンク１１５と、該給水タンク１１５からの水を圧送する高圧水供給ポンプ１１６と、該高圧水供給ポンプ１１６で圧送されてきた高圧水を噴射する高圧水マニホールド１１７と高圧水噴射ノズル１２２とを備えて構成されている。高圧水供給ポンプ１１６と高圧水マニホールド１１７との間は、高圧水用フレキホース１１８により配管接続されており、この高圧水用フレキホース１１８は、ホースリール１２０に巻き取り可能となっている。
【００３０】
この高圧水供給機構１０５によれば、高圧水供給ポンプ１１６を起動させると、給水タンク１１５内の水が導き出されて高圧化され、高圧水用フレキホース１１８を介して高圧水マニホールド１１７へと送り出される。そして、高圧水マニホールド１１７に設けられた複数の高圧水噴射ノズル１２２から噴射される高圧水が、前記壁面上の洗剤及び汚れに対して吹き付けられ、この水圧によって洗剤及び汚れが前記壁面から洗い落とされるようになっている。なお、各高圧水噴射ノズル１２２には、前記壁面に噴射する高圧水の噴流を旋回させ、高圧水全体を円錐形状に拡散させる回転子（図示せず）が内部装備されている。また、これら高圧水噴射ノズル１２２に至るまでに高圧水を昇温させるヒータが、給水タンク１１５に装備されている。
【００３１】
前記発電機１０６は、洗剤供給ポンプ１０８や高圧水供給ポンプ１１６等の各電動機器に対して電力を供給するものであるが、この発電機１０６以外に、車両１０１のＰＴＯ（Power Take Off）からポンプ駆動トルクを得るように構成しても良い。
前記高圧水マニホールド１１７及び洗剤マニホールド１０９は、それぞれ水平状態を維持するように台座１０２上に固設されている。この台座１０２は、昇降機構１２６上に固定されており、昇降機構１２６が昇降動作することにより、各洗剤噴射ノズル１１４及び各高圧水噴射ノズル１２２が昇降して前記壁面の上下方向の清掃を行うことができるようになっている。
【００３２】
昇降機構１２６としては、図３に示すパンタグラフと油圧シリンダとの組み合わせによるパンタグラフ式の他、油圧シリンダ機構内に他の油圧シリンダ機構を装備して多段状に伸展可能としたテレスコープシリンダ式など、その他のタイプの昇降機構を採用しても良い。
また、図示を省略するが、前記壁面への高圧水の吹き付けにより生じる霧を、その周囲を覆うように低圧水を噴射することで吸収抑制する低圧水噴射機構や、高圧水の噴射により洗浄した後の前記壁面を拭う拭き取り機構など、その他の機構をさらに子機車両に追加搭載するものとしても良い。
【００３３】
以上説明の構成を有する本実施の形態の壁面清掃車による清掃作業の実施について、以下に説明を行う。
まず、清掃を行う壁面の近傍に車両１０１を接近させ、駐車する。その状態で、作業者の操作により台座１０２を昇降機構１２６で所定の高さまで上昇させ、図４に示すように、各高圧水噴射ノズル１２２及び各洗剤噴射ノズル１１４を壁面Ｗに対して対向させる。この状態で、前記作業者の操作により、洗剤供給ポンプ１０８と高圧水供給ポンプ１１６を起動させる。すると、各洗剤噴射ノズル１１４から洗剤ＣＬが噴射され、壁面Ｗに満遍なく塗布されていく。続いて、各高圧水噴射ノズル１２２から噴射される高圧水ＨＷが壁面Ｗに付着した汚れを洗剤ＣＬと共に洗い流していく。このような清掃作業を、昇降機構１２６による昇降動作によって壁面Ｗの上下方向に行った後、車両１０１を少し移動させてから再び同様に実施する。このようにして、壁面Ｗの広い範囲に渡って清掃が行われていく。
【００３４】
以上説明の構成を有する本実施の形態の壁面清掃車は、高圧水供給ポンプ１１６を介して給水タンク１１５より送られてきた高圧水ＨＷを壁面Ｗに対して噴射する高圧水噴射ノズル１２２と、この高圧水噴射ノズル１２２を昇降させる昇降機構１２６とを有する清掃装置１０３を備えた構成を採用した。この構成によれば、非接触で壁面Ｗを清掃することができるので、清掃する壁面Ｗの傷付きを極力抑えることが可能となる。しかも、高圧水ＨＷの水圧によって壁面Ｗの汚れを落とすので、従来のように壁面Ｗをブラシがけする必要がなく、作業者の多大な労力を要することなく清掃することも可能となる。
【００３５】
また、本実施の形態の壁面清掃車は、壁面Ｗに沿った水平方向に各高圧水噴射ノズル１２２及び各洗剤噴射ノズル１１４をそれぞれ複数配置し、これら高圧水噴射ノズル１２２及び洗剤噴射ノズル１１４を、車両１０１が停止した状態において、昇降機構１２６により昇降させることで壁面Ｗの上下方向の清掃を行うものとした。この構成によれば、壁面Ｗの水平方向及び上下方向の広範囲に渡る清掃を、各高圧水噴射ノズル１２２及び各洗剤噴射ノズル１１４の昇降動作及び車両１０１の移動により短時間で行うことが可能となる。
【００３６】
また、本実施の形態の壁面清掃車は、その清掃装置１０３に、高圧水ＨＷを噴射する前の壁面Ｗに対して洗剤ＣＬを噴射する洗剤噴射機構１０４を備えた構成を採用している。この構成によれば、壁面Ｗへの洗剤ＣＬの吹き付けにより、より効果的に壁面Ｗの洗浄を行うことが可能となっている。
また、本実施の形態の壁面清掃車は、その清掃装置１０３に、高圧水噴射ノズル１２２に至るまでに高圧水ＨＷを昇温させる前記ヒータを備えた構成を採用した。この構成によれば、壁面Ｗに吹き付けられる高圧水ＨＷが温水となるので、冷水である場合に比較してより効果的に壁面Ｗの汚れを落とすことが可能となる。
また、本実施の形態の壁面清掃車は、各高圧水噴射ノズル１２２に、壁面Ｗに噴射する高圧水ＨＷの噴流を旋回させ、高圧水が及ぶ範囲を拡散させる前記回転子が備えられている構成を採用した。この構成によれば、回転子の回転によって高圧水ＨＷが拡散し、壁面Ｗの広範囲に渡って吹き付けることができるようになるので、少ない量の高圧水ＨＷで広い範囲の清掃を行うことが可能となっている。
【００３７】
次に、図５及び図６を参照しながら、本発明の第２参考実施形態について以下に説明する。なお、図５は、本実施の形態の壁面清掃車を示す斜視図である。また、図６は、同壁面清掃車による清掃作業実施状態を示す図であって、壁面に垂直な断面より見た平面図である。
【００３８】
図５に示すように、本実施の形態の壁面清掃車は、車両２０１と、該車両２０１上に搭載した清掃装置２０３とを備えた概略構成となっている。
そして、この清掃装置２０３には、清掃する壁面（図示せず）に向けて洗剤を噴射供給する洗剤噴射機構２０４と、前記壁面に向けて高圧水を吹き付けてその水圧により汚れを落とす高圧水噴射機構２０５と、これら洗剤噴射機構２０４及び高圧水噴射機構２０５への電力を供給する発電機２０６とが備えられている。
【００３９】
前記洗剤噴射機構２０４は、洗剤を貯留する容器である洗剤タンク２０７と、該洗剤タンク２０７からの洗剤を圧送する洗剤供給ポンプ２０８と、該洗剤供給ポンプ２０８で圧送されてきた洗剤を噴射する洗剤マニホールド２０９と洗剤噴射ノズル２１４とを備えて構成されている。洗剤供給ポンプ２０８と洗剤マニホールド２０９との間は、洗剤用フレキホース２１０により配管接続されており、この洗剤用フレキホース２１０は、ホースリール２１２に巻き取り可能となっている。
この洗剤噴射機構２０４によれば、洗剤供給ポンプ２０８を起動させると、洗剤タンク２０７内の洗剤が導出され、洗剤用フレキホース２１０を介して洗剤マニホールド２０９へと送り出される。そして、洗剤マニホールド２０９に設けられた複数の洗剤噴射ノズル２１４から噴射される洗剤が、高圧水を噴射する前の前記壁面に対して塗布されるようになっている。
【００４０】
前記高圧水噴射機構２０５は、高圧水の元となる水を貯留する容器である給水タンク２１５と、該給水タンク２１５からの水を圧送する高圧水供給ポンプ２１６と、該高圧水供給ポンプ２１６で圧送されてきた高圧水を噴射する高圧水マニホールド２１７と、高圧水噴射ノズル２２２とを備えて構成されている。高圧水供給ポンプ２１６と高圧水マニホールド２１７との間は、高圧水用フレキホース２１８により配管接続されており、ホースリール２２０に巻き取り可能となっている。
【００４１】
この高圧水供給機構２０５によれば、高圧水供給ポンプ２１６を起動させると、給水タンク２１５内の水が導き出されて高圧化され、高圧水用フレキホース２１８を介して高圧水マニホールド２１７へと送り出される。そして、高圧水マニホールド２１７に設けられた複数の高圧水噴射ノズル２２２から噴射される高圧水が、前記壁面上の洗剤及び汚れに対して吹き付けられ、この水圧によって洗剤及び汚れが前記壁面から洗い落とされるようになっている。なお、各高圧水噴射ノズル２２２には、前記壁面に噴射する高圧水の噴流を旋回させ、高圧水全体を円錐形状に拡散させる回転子（図示せず）が内部装備されている。また、これら高圧水噴射ノズル２２２に至るまでに高圧水を昇温させるヒータが、給水タンク２１５に装備されている。
【００４２】
前記発電機２０６は、洗剤供給ポンプ２０８や高圧水供給ポンプ２１６等の各電動機器に対して電力を供給するものであるが、この発電機２０６を省略して、車両２０１上に直接ポンプを駆動させるエンジンを設置するように構成しても良い。この発電機２０６の起動等の操作は、図５に示す制御盤２５１によりなされるようになっている。また、この制御盤２５１の機能を車両２０１のキャブ内に設置することも可能である。
前記高圧水マニホールド２１７は、垂直起立した２本のマニホールド２１７ａ，２１７ｂを一体にしたものであり、昇降機構２２６Ａにより昇降動作可能となっている。また、各マニホールド２１７ａ，２１７ｂに設けられた各高圧水噴射ノズル２２２は、前記壁面に沿った垂直方向に等間隔に千鳥配置されている。これら高圧水噴射ノズル２２２を必要に応じて昇降機構２２６Ａで高さ調整をした後、車両２０１を走行させて前記壁面に沿って移動させることで、前記壁面を広範囲に渡って清掃できるようになっている。
【００４３】
前記洗剤マニホールド２０９は、垂直起立した１本のマニホールドであり、昇降機構２２６Ｂにより昇降動作可能となっている。また、洗剤マニホールド２０９に設けられた各洗剤噴射ノズル２１４は、前記壁面に沿った垂直方向に等間隔配置され、これら洗剤噴射ノズル２１４を必要に応じて昇降機構２２６Ｂで高さ調整をした後、車両２０１を走行させて前記壁面に沿って移動させることで、前記高圧水に先行して洗剤を前記壁面に噴射させることができ、前記壁面を広範囲に渡って清掃できるようになっている。
【００４４】
昇降機構２２６Ａ，２２６Ｂとしては、油圧シリンダ機構内に他の油圧シリンダ機構を装備して多段状に伸展可能としたテレスコープシリンダ式の他、パンタグラフと油圧シリンダとの組み合わせによるパンタグラフ式など、その他のタイプの昇降機構を採用しても良い。
また、図示を省略するが、前記壁面への高圧水の吹き付けにより生じる霧を、その周囲を覆うように低圧水を噴射することで吸収抑制する低圧水噴射機構をさらに車両２０１に追加搭載するものとしても良い。この場合、低圧水で覆うことによって霧が清掃作業場所外に広がるのを防止できるので、清掃作業が他所に及ぼす影響を極力低減させることが可能となる。
また、図６に示すように、高圧水ＨＷの噴射により洗浄した後の壁面Ｗを拭う拭き取りスポンジ２５０（拭き取り機構）をさらに車両２０１に追加搭載するものとしても良い。この場合、拭き取りスポンジ２５０により、壁面Ｗの濡れや残留した汚れを確実かつ短時間で落とすことが可能となる。
【００４５】
以上説明の構成を有する本実施の形態の壁面清掃車による清掃作業の実施について、以下に説明を行う。
まず、清掃を行う壁面の近傍に車両１０１を接近させ、その状態で、作業者の操作により洗剤マニホールド２０９及び高圧水マニホールド２１７を昇降機構２２６Ａ，２２６Ｂで所定の高さまで上昇させ、図６に示すように、各高圧水噴射ノズル２２２及び各洗剤噴射ノズル２１４を壁面Ｗに対して対向させる。この状態で、前記作業者の操作により、洗剤供給ポンプ２０８と高圧水供給ポンプ２１６を起動させる。すると、各洗剤噴射ノズル２１４から洗剤ＣＬが噴射され、壁面Ｗに満遍なく塗布されていく。続いて、車両２０１を走行させながら各高圧水噴射ノズル２２２から噴射される高圧水ＨＷが壁面Ｗに付着した汚れを洗剤ＣＬと共に洗い流していく。このような清掃作業を、昇降機構２２６Ａ，２２６Ｂによる昇降動作によって壁面Ｗの清掃する高さを調整した後、車両２０１を少しずつ移動させていく。このようにして、壁面Ｗの広い範囲に渡って清掃が行われていく。
【００４６】
以上説明の構成を有する本実施の形態の壁面清掃車は、高圧水供給ポンプ２１６を介して給水タンク２１５より送られてきた高圧水ＨＷを壁面Ｗに対して噴射する高圧水噴射ノズル２２２と、この高圧水噴射ノズル２２２を昇降させる昇降機構２２６Ａとを有する清掃装置２０３を備えた構成を採用した。この構成によれば、非接触で壁面Ｗを清掃することができるので、清掃する壁面Ｗの傷付きを極力抑えることが可能となる。しかも、高圧水ＨＷの水圧によって壁面Ｗの汚れを落とすので、従来のように壁面Ｗをブラシがけする必要がなく、作業者の多大な労力を要することなく清掃することも可能となる。
【００４７】
また、本実施の形態の壁面清掃車は、壁面Ｗに沿った垂直方向に高圧水噴射ノズル２２２を複数配置し、これら高圧水噴射ノズル２２２を車両２０１の走行により壁面Ｗに沿って移動させることで壁面Ｗを清掃する構成を採用した。この構成によれば、壁面Ｗの上下方向の清掃範囲は、垂直方向に並ぶ各高圧水噴射ノズル２２２、及びその上下ストロークによりカバーされ、かつ、壁面Ｗの水平方向の清掃範囲は、車両２０１の走行によりカバーされるので、壁面Ｗの極めて広い清掃範囲をカバーすることが可能となる。
【００４８】
また、本実施の形態の壁面清掃車は、その清掃装置２０３に、高圧水ＨＷを噴射する前の壁面Ｗに対して洗剤ＣＬを噴射する洗剤噴射機構２０４を備えた構成を採用している。この構成によれば、壁面Ｗへの洗剤ＣＬの吹き付けにより、より効果的に壁面Ｗの洗浄を行うことが可能となっている。
また、本実施の形態の壁面清掃車は、その清掃装置２０３に、高圧水噴射ノズル２２２に至るまでに高圧水ＨＷを昇温させる前記ヒータを備えた構成を採用した。この構成によれば、壁面Ｗに吹き付けられる高圧水ＨＷが温水となるので、冷水である場合に比較してより効果的に壁面Ｗの汚れを落とすことが可能となる。
【００４９】
また、本実施の形態の壁面清掃車は、各高圧水噴射ノズル２２２に、壁面Ｗに噴射する高圧水ＨＷの噴流を旋回させ、高圧水が及ぶ範囲を拡散させる前記回転子が備えられている構成を採用した。この構成によれば、回転子の回転によって高圧水ＨＷが拡散し、壁面Ｗの広範囲に渡って吹き付けることができるようになるので、少ない量の高圧水ＨＷで広い範囲の清掃を行うことが可能となっている。
【００５０】
なお、以上説明の第１参考実施形態、第２参考実施形態、一実施形態の壁面清掃車は、例えば高速道路の透光性遮音壁の清掃作業に適しているが、これに限らず、建物の壁面清掃等、その他の場所の清掃作業に適用しても良いことは勿論である。
【符号の説明】
【００５１】
１，１０１，２０１・・・車両
２・・・子機車両
３，１０３，２０３・・・清掃装置
４，１０４，２０４・・・洗剤噴射機構
１５，１１５，２１５・・・給水タンク
１６，１１６，２１６・・・高圧水供給ポンプ（高圧水ポンプ）
２２，１２２，２２２・・・高圧水噴射ノズル（ノズル）
２６，１２６，２２６Ａ，２２６Ｂ・・・昇降機構
２５０・・・スポンジ（拭き取り機構）
ＨＷ・・・高圧水
Ｗ・・・壁面
【図１】
2009235901.tif 000003
【図２】
2009235901.tif 000004
【図３】
2009235901.tif 000005
【図４】
2009235901.tif 000006
【図５】
2009235901.tif 000007
【図６】
2009235901.tif 000008